(57)【要約】【課題】楽音に関する選択肢を選択することをより容易にすること。【解決手段】選択部２６は、複数表示名称を表示装置に表示してその複数表示名称のうちから名称選択操作に基づいて１つの選択名称を選択する。演奏部２７は、その複数表示名称を複数選択肢に対応付ける表示名称テーブルを参照して、その選択名称に対応する対応選択肢に対応する楽音を演奏操作に応答して出力する。命名部２４は、入力装置を介して入力された新名称をその複数表示名称が含むように、かつ、その複数選択肢から選択肢選択操作に基づいて選択された新名称選択肢にその新名称が対応するように、その表示名称テーブルを更新する。このような電子楽器によれば、ユーザは、所望の選択肢に所望の名称を対応付けることができ、初期的に設定された名称がわかりにくい場合であっても、その複数の選択肢のうちから所望の選択肢をより容易に選択することができる。【選択図】図２
2009251148.tif 000002
【特許請求の範囲】
【請求項１】
複数表示名称を表示装置に表示して前記複数表示名称のうちから名称選択操作に基づいて１つの選択名称を選択する選択部と、
前記複数表示名称を複数選択肢に対応付ける表示名称テーブルを参照して、前記複数選択肢のうちの前記選択名称に対応する対応選択肢に対応する楽音を演奏操作に応答して出力する演奏部と、
入力装置を介して入力された新名称を前記複数表示名称が含むように、かつ、前記複数選択肢から選択肢選択操作に基づいて選択された新名称選択肢に前記新名称が対応するように、前記表示名称テーブルを更新する命名部
とを具備する電子楽器。
【請求項２】
請求項１において、
前記複数表示名称のうちの第１選択動作に基づいて選択された変更表示名称が前記複数選択肢のうちの第２選択動作に基づいて選択された変更選択肢に対応するように、前記表示名称テーブルを更新する変更部
を更に具備する電子楽器。
【請求項３】
請求項２において、
前記表示名称テーブルは、前記複数表示名称を複数順位に更に対応付け、
前記選択部は、前記複数表示名称の各々が表示される位置の順位が前記複数順位のうちの前記各々に対応する順位に等しくなるように、前記複数表示名称を表示し、
前記命名部は、更に、前記複数順位のうちの前記新名称に対応する順位が最初になるように、前記表示名称テーブルを更新する
電子楽器。
【請求項４】
請求項３において、
前記選択部は、前記複数表示名称のうちの第１表示名称が選択される頻度が前記複数表示名称のうちの第２表示名称が選択される頻度より高いときに、前記複数順位のうちの前記第１表示名称に対応する順位が前記複数順位のうちの前記第２表示名称に対応する順位より早くなるように、前記表示名称テーブルを更新する
電子楽器。
【請求項５】
請求項３において、
前記変更部は、前記複数表示名称のうちの消去動作に基づいて選択された消去表示名称を前記複数表示名称が含まないように、前記表示名称テーブルを更新する
電子楽器。
【請求項６】
請求項２において、
前記選択部は、前記複数表示名称のうちの１つの表示名称が前記複数選択肢のうちの前記１つの表示名称に対応する選択肢に初期的に設定されたデフォルト名称であるときに第１表示形式で前記１つの表示名称を表示し、前記１つの表示名称が前記デフォルト名称と異なるときに前記第１表示形式と異なる第２表示形式で前記１つの表示名称を表示する
電子楽器。
【請求項７】
請求項２において、
前記選択部は、前記複数表示名称のうちの１つの表示名称が表示される領域の近傍に、前記複数選択肢のうちの前記１つの表示名称に対応する選択肢に初期的に設定されたデフォルト名称を更に表示する
電子楽器。
【請求項８】
請求項２において、
前記表示名称テーブルは、複数ユーザを前記複数表示名称に更に対応付け、
前記選択部は、ユーザ選択操作に基づいて前記複数ユーザのうちから１つのユーザを選択し、前記複数表示名称のうちの前記ユーザに対応する複数の表示名称を表示して前記複数の表示名称のうちから前記名称選択操作に基づいて前記選択名称を選択する
電子楽器。
【請求項９】
複数表示名称を表示装置に表示して前記複数表示名称のうちから名称選択操作に基づいて１つの選択名称を選択するステップと、
前記複数表示名称を複数選択肢に対応付ける表示名称テーブルを参照して、前記複数選択肢のうちの前記選択名称に対応する対応選択肢に対応する楽音を出力するステップと、
入力装置を介して入力された新名称を前記複数表示名称が含むように、かつ、前記複数選択肢から選択肢選択操作に基づいて選択された新名称選択肢に前記新名称が対応するように、前記表示名称テーブルを更新するステップ
とを具備する項目選択方法
をコンピュータに実行させる項目選択プログラム。
【発明の詳細な説明】
【技術分野】
【０００１】
本発明は、電子楽器に関し、特に、複数の選択肢から選択された選択肢に対応する楽音を出力するときに利用される電子楽器に関する。
【背景技術】
【０００２】
複数の音色の楽音を出力することができる電子楽器が知られている。その電子楽器は、その複数の音色からユーザの操作により１つの音色を選択し、鍵盤の打鍵に応答して、その選択された音色の楽音を出力する。
【０００３】
図９は、その複数の音色のうちから１つの音色を選択するときに表示される画面を示している。その画面１０１は、複数のアイコン１０２−１〜１０２−１０が記載されている。複数のアイコン１０２−１〜１０２−１０は、複数の音色を識別する名称が記載される矩形に形成されている。その名称は、「コンサートグランドピアノ」と「クラシックＥピアノ」と「スタジオグランドピアノ」と「モダンＥピアノ」と「モダンピアノ」と「モダンＥピアノ２」と「エレクトリックグランドピアノ」と「６０’ｓＥピアノ」と「オクターブピアノ」と「トレモロピアノ」とを含んでいる。アイコン１０２−１は、コンサートグランドピアノを示している。アイコン１０２−２は、クラシックＥピアノを示している。アイコン１０２−３は、スタジオグランドピアノを示している。アイコン１０２−４は、モダンＥピアノを示している。アイコン１０２−５は、モダンピアノを示している。アイコン１０２−６は、モダンＥピアノ２を示している。アイコン１０２−７は、エレクトリックグランドピアノを示している。アイコン１０２−８は、６０’ｓＥピアノを示している。アイコン１０２−９は、オクターブピアノを示している。アイコン１０２−１０は、トレモロピアノを示している。
【０００４】
その電子楽器は、このような画面が表示されている場合で、入力装置を介して入力された情報に基づいてアイコン１０２−１〜１０２−１０のうちの１つのアイコンが選択されたときに、その選択されたアイコンが示す音色を選択する。その電子楽器は、鍵盤のいずれかの鍵が打鍵されることに応答して、その選択された音色の楽音を出力する。
【０００５】
このような音色の名称は、メーカにより命名されている。このとき、ユーザは、その名称を見ても、その音色がどのような音色であるか直感で感じとることができないことがある。このため、ユーザは、所望の音色を探すときに、過去に選択したことがある音色を探す場合であっても、手間がかかることがある。演奏により出力される楽音の音色を選択することをより容易にすることが望まれている。
【０００６】
特開平０６−３３２４４４号公報には、電子楽器の使用者が理解し易い用語にメッセージ等修正・選択表示できるとともに、該メモリの管理業務を簡単にできる電子楽器の表示装置が開示されている。その電子楽器の表示装置は、所定の情報を表示する表示手段と、該表示手段で表示すべき所定の情報に対応した表示情報が記憶された記憶手段と、表示に用いる用語を修正設定可能な設定手段と、該設定手段で設定された用語に応じて、前記記憶手段から表示情報を読み出し、ユーザの設定した表示情報を前記表示手段に表示せしめる制御手段とを具備したことを特徴としている。
【０００７】
【特許文献１】特開平０６−３３２４４４号公報
【発明の開示】
【発明が解決しようとする課題】
【０００８】
本発明の課題は、演奏により出力される楽音に関する複数の選択肢のうちから所望の選択肢を選択することをより容易にする電子楽器を提供することにある。
【課題を解決するための手段】
【０００９】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１０】
本発明による電子楽器（１）は、選択部（２６）と演奏部（２７）と命名部（２４）とを備えている。選択部（２６）は、複数表示名称（４３）を表示装置（８）に表示して複数表示名称（４３）のうちから名称選択操作に基づいて１つの選択名称を選択する。演奏部（２７）は、複数表示名称（４３）を複数選択肢（４５）に対応付ける表示名称テーブル（４１）を参照して、複数選択肢（４５）のうちのその選択名称に対応する対応選択肢に対応する楽音を演奏操作に応答して出力する。命名部（２４）は、入力装置（７）を介して入力された新名称を複数表示名称（４３）が含んでいるように、かつ、複数選択肢（４５）から選択肢選択操作に基づいて選択された新名称選択肢にその新名称が対応するように、表示名称テーブル（４１）を更新する。このような電子楽器（１）によれば、ユーザは、所望の選択肢に所望の名称を対応付けることができ、初期的に設定された名称がわかりにくい場合であっても、その複数の選択肢のうちから所望の選択肢をより容易に選択することができる。
【００１１】
本発明による電子楽器（１）は、複数表示名称（４３）のうちの第１選択動作に基づいて選択された変更表示名称が複数選択肢（４５）のうちの第２選択動作に基づいて選択された変更選択肢に対応するように、表示名称テーブル（４１）を更新する変更部（２５）をさらに備えている。このような電子楽器（１）によれば、ユーザは、複数選択肢（４５）のうちからその新名称により相応しい選択肢を発見したときに、その発見された選択肢にその新名称をより容易に命名し直すことができる。
【００１２】
表示名称テーブル（４１）は、複数表示名称（４３）を複数順位（４４）にさらに対応付けている。選択部（２６）は、複数表示名称（４３）の各々が表示される位置の順位が複数順位（４４）のうちのその各々に対応する順位に等しくなるように、複数表示名称（４３）を表示している。命名部（２４）は、さらに、複数順位（４４）のうちのその新名称に対応する順位が最初になるように、表示名称テーブル（４１）を更新する。このような電子楽器（１）によれば、ユーザは、その複数の選択肢のうちの新名称を命名した選択肢をより容易に選択することができる。
【００１３】
選択部（２６）は、複数表示名称（４３）のうちの第１表示名称が選択される頻度が複数表示名称（４３）のうちの第２表示名称が選択される頻度より高いときに、複数順位（４４）のうちのその第１表示名称に対応する順位が複数順位（４４）のうちのその第２表示名称に対応する順位より早くなるように、表示名称テーブル（４１）を更新する。このような電子楽器（１）によれば、ユーザは、使用頻度が高い選択肢をより容易に選択することができる。
【００１４】
変更部（２５）は、複数表示名称（４３）のうちの消去動作に基づいて選択された消去表示名称を複数表示名称（４３）が含まないように、表示名称テーブル（４１）を更新する。このとき、電子楽器（１）は、複数表示名称（４３）が表示される表示面に表示される情報量を低減することができ、その表示面を見やすくすることができる。
【００１５】
選択部（２６）は、複数表示名称（４３）のうちの１つの表示名称が複数選択肢（４５）のうちのその１つの表示名称に対応する選択肢に初期的に設定されたデフォルト名称であるときに第１表示形式でその１つの表示名称を表示し、その１つの表示名称がそのデフォルト名称と異なるときにその第１表示形式と異なる第２表示形式でその１つの表示名称を表示している。このような電子楽器（１）によれば、ユーザは、複数表示名称（４３）の各々がユーザにより命名された名称であるか初期的に設定された名称であるかを判別しやすく、所望の選択肢をより容易に選択することができる。
【００１６】
選択部（２６）は、その複数表示名称（４３）のうちの１つの表示名称が表示される領域の近傍に、複数選択肢（４５）のうちのその１つの表示名称に対応する選択肢に初期的に設定されたデフォルト名称をさらに表示している。このような電子楽器（１）によれば、ユーザは、新規に命名された新名称に対応する選択肢のデフォルト名称を確認することができ、所望の選択肢をより容易に選択することができる。
【００１７】
表示名称テーブル（４１）は、複数ユーザを複数表示名称（４３）にさらに対応付けている。選択部（２６）は、ユーザ選択操作に基づいてその複数ユーザのうちから１つのユーザを選択し、（その複数ユーザのうちの選択されたユーザを除くユーザに対応する複数の表示名称を表示しないで、）複数表示名称（４３）のうちのそのユーザに対応する複数の表示名称を表示してその複数の表示名称のうちからその名称選択操作に基づいてその選択名称を選択する。このような電子楽器（１）によれば、複数のユーザが互いに異なる複数の選択肢に同一の新名称を命名することができる。すなわち、このような電子楽器（１）によれば、複数のユーザが独立に新名称を命名することができ、複数のユーザが所望の選択肢をより容易に選択することができる。
【００１８】
複数選択肢（４５）のうちの１つの選択肢は、複数表示名称（４３）のうちの複数の名称に対応する。このような電子楽器（１）によれば、ユーザは、１つの選択肢に互いに異なる複数の新名称を命名することができ、所望の選択肢をより容易に選択することができる。
【００１９】
複数選択肢（４５）は、それぞれ、互いに異なる複数音色を示している。演奏部（２７）は、その複数音色のうちのその選択肢が示している音色の楽音を出力する。
【００２０】
本発明による項目選択プログラムは、複数表示名称（４３）を表示装置（８）に表示して複数表示名称（４３）のうちから名称選択操作に基づいて１つの選択名称を選択するステップと、複数表示名称（４３）を複数選択肢（４５）に対応付ける表示名称テーブル（４１）を参照して、複数選択肢（４５）のうちのその選択名称に対応する対応選択肢に対応する楽音を出力するステップと、入力装置（７）を介して入力された新名称を複数表示名称（４３）が含んでいるように、かつ、複数選択肢（４５）から選択肢選択操作に基づいて選択された新名称選択肢にその新名称が対応するように、表示名称テーブル（４１）を更新するステップとを備えている項目選択方法をコンピュータに実行させる。このような項目選択プログラムによれば、ユーザは、所望の選択肢に所望の名称を対応付けることができ、初期的に設定された名称がわかりにくい場合であっても、その複数の選択肢のうちから所望の選択肢をより容易に選択することができる。
【発明の効果】
【００２１】
本発明による電子楽器および項目選択方法によれば、ユーザは、所望の選択肢に所望の名称を対応付けることができ、初期的に設定された名称がわかりにくい場合であっても、その複数の選択肢のうちから所望の選択肢をより容易に選択することができる。
【発明を実施するための最良の形態】
【００２２】
図面を参照して、本発明による電子楽器の実施の形態を記載する。その電子楽器１は、図１に示されているように、バス２を介して複数の電気回路が互いに双方向に情報を伝送することができるように接続されている。その複数の電気回路は、ＣＰＵ３とＲＯＭ５とＲＡＭ６とパネル７と表示装置８と鍵盤１０と楽音発生部１１とを含んでいる。
【００２３】
ＣＰＵ３は、電子楽器１にインストールされるコンピュータプログラムを実行して、ＲＯＭ５とＲＡＭ６とパネル７と表示装置８と鍵盤１０と楽音発生部１１とを制御する。ＲＯＭ５は、そのコンピュータプログラムを記録している、ＲＡＭ６は、ＣＰＵ３により生成される情報を一時的に記録する。
【００２４】
パネル７は、ユーザに操作されることにより情報を生成し、その情報をＣＰＵ３に出力する。表示装置８は、たとえば、液晶ディスプレイから形成され、ＣＰＵ３により生成される画像を表示する。鍵盤１０は、演奏に用いられる複数の鍵を備えている。その複数の鍵は、複数の白鍵と複数の黒鍵とから形成され、それぞれ、互いに異なる複数の音高に対応している。鍵盤１０は、その複数の鍵のうちの打鍵された鍵を識別する情報とその打鍵強度とを示す情報をＣＰＵ３に出力する。
【００２５】
楽音発生部１１は、波形ＲＯＭ１２とデジタルアナログ変換器１４とアンプ１５とスピーカ１６とを備えている。波形ＲＯＭ１２は、複数の波形を記録している。その複数の波形は、電子楽器１が放音することができる複数の音色に対応している。その波形は、それぞれ、電子楽器１から発音される楽音の波形（すなわち、時間とともに変化する量）を示している。楽音発生部１１は、ＣＰＵ３により指定される音高と音色とに基づいて、電子楽器１から放音される楽音を示すデジタル楽音信号を生成する。すなわち、楽音発生部１１は、波形メモリ１２からその音色の波形を読み出す。楽音発生部１１は、さらに、その波形とその音高とに基づいて、その楽音の波形を示すデジタル楽音信号を算出する。
【００２６】
デジタルアナログ変換器１４は、楽音発生部１１により生成されたデジタル楽音信号をアナログ楽音信号に変換する。アンプ１５は、Ｄ／Ａ変換器１４により生成されたアナログ楽音信号をスピーカ１６で発生させるために増幅する。スピーカ１６は、１個ないし複数個から形成され、アンプ１５により増幅されたアナログ楽音信号を可聴信号に変換して放音する。
【００２７】
図２は、電子楽器１にインストールされるコンピュータプログラムを示している。そのコンピュータプログラムは、デフォルト名称データベース２１と表示名称データベース２２と頻度データベース２３と命名部２４と変更部２５と選択部２６と演奏部２７とを含んでいる。
【００２８】
デフォルト名称データベース２１は、コンピュータプログラムにより参照可能にデフォルト名称テーブルをＲＯＭ６に記録する。表示名称データベース２２は、コンピュータプログラムにより参照可能に表示名称テーブルをＲＡＭ６に記録する。頻度データベース２３は、コンピュータプログラムにより参照可能に頻度テーブルをＲＡＭ６に記録する。
【００２９】
命名部２４は、パネル７を介して入力された情報に基づいて、電子楽器１が放音することができる複数の音色のうちから１つの音色を選択する。命名部２４は、さらに、パネル７を介して入力された新名称を取得する。命名部２４は、さらに、その選択された音色と新名称とに基づいて、表示名称データベース２２により記録される表示名称テーブルを更新する。
【００３０】
変更部２５は、パネル７を介して入力された情報に基づいて、音色を選択するときに表示される複数の名称のうちから１つの表示名称を選択する。変更部２５は、さらに、パネル７を介して入力された情報に基づいて、複数の音色のうちから１つの音色を選択する。変更部２５は、さらに、その選択された表示名称とその選択された音色とに基づいて、表示名称データベース２２により記録される表示名称テーブルを更新する。
【００３１】
選択部２６は、表示名称データベース２２により記録された表示名称テーブルを参照して、複数の表示名称を表示装置８に表示する。選択部２６は、さらに、パネル７を介して入力された情報に基づいて、その複数の名称のうちから１つの表示名称を選択する。選択部２６は、さらに、その選択された表示名称に基づいて電子楽器１が放音することができる複数の音色のうちから１つの音色を選択する。
【００３２】
演奏部２７は、鍵盤１０のうちのいずれかの鍵が打鍵されることに応答して、その打鍵された鍵に対応する音高の楽音であり、かつ、選択部２６により選択された音色の楽音を出力する。
【００３３】
図３は、デフォルト名称データベース２１により記録されるデフォルト名称テーブルを示している。そのデフォルト名称テーブル３１は、音色ＩＤ集合３２をデフォルト名称集合３３に対応付けている。すなわち、音色ＩＤ集合３２の任意の要素は、デフォルト名称集合３３の１つの要素に対応している。音色ＩＤ集合３２の要素は、電子楽器１から出力される楽音に設定される複数の音色を識別する音色ＩＤを示している。デフォルト名称集合３３の要素は、電子楽器１から出力されることができる楽音の音色に予め設定されているデフォルト名称の１つを示している。
【００３４】
図４は、頻度データベース２３により記録される頻度テーブルを示している。その頻度テーブル３５は、音色ＩＤ集合３６を使用頻度集合３７に対応付けている。すなわち、音色ＩＤ集合３６の任意の要素は、使用頻度集合３７の１つの要素に対応している。音色ＩＤ集合３６の要素は、電子楽器１から出力される楽音に設定される複数の音色を識別する音色ＩＤを示している。使用頻度集合３７の要素は、所定の期間でその複数の音色が設定された頻度を示している。
【００３５】
このとき、選択部２６は、複数の音色のうちから１つの音色を選択したときに、所定の期間でその選択された音色が設定された頻度を算出し、その選択された音色がその算出された頻度に対応するように、頻度テーブル３５を更新する。
【００３６】
図５は、表示名称データベース２２により記録される表示名称テーブルを示している。その表示名称テーブル４１は、ユーザ名集合４２と表示名称集合４３とを順番４４と音色ＩＤ集合４５とに対応付けている。すなわち、ユーザ名集合４２の任意の要素と表示名称集合４３の任意の要素との組は、順番４４の１つの要素に対応し、音色ＩＤ集合４５の１つの要素に対応している。ユーザ名集合４２の要素は、ユーザを識別し、そのユーザを識別する文字列を示している。表示名称集合４３の要素は、音色を識別する複数の表示名称を示している。その表示名称は、その音色のデフォルト名称を示し、または、ユーザによりパネル７を介して入力された文字列を示している。順番４４の要素は、表示名称の各々が表示される位置の順位を示し、自然数のうちのいずれかを示している。音色ＩＤ集合４５の要素は、電子楽器１から出力される楽音に設定される複数の音色を識別する音色ＩＤを示している。
【００３７】
すなわち、選択部２６は、電子楽器１が起動されると、ユーザにユーザ名を入力することを促す画面を表示装置８に表示して、パネル７を介して入力されたユーザ名を取得する。選択部２６は、表示名称テーブル４１を参照して、表示名称集合４３のうちのその取得したユーザ名に対応する複数の表示名称を抽出し、その抽出された複数の表示名称を表示装置８に表示する。選択部２６は、さらに、パネル７を介して入力された情報に基づいて、その複数の名称のうちから１つの表示名称を選択し、音色ＩＤ集合４５のうちからその選択された表示名称に対応する音色を選択する。
【００３８】
命名部２４は、音色に新名称を命名するための操作がされたときに、デフォルト名称テーブル３１を参照して、デフォルト名称集合３３が示す複数のデフォルト名称を表示装置８に表示する。命名部２４は、さらに、パネル７を介して入力された情報に基づいて、その複数のデフォルト名称のうちから１つのデフォルト名称を選択し、音色ＩＤ集合３２のうちからその選択されたデフォルト名称に対応する音色を選択する。なお、このとき、命名部２４は、複数のデフォルト名称を表示しないで、現在設定されている音色を選択することもできる。
【００３９】
命名部２４は、次いで、ユーザに新名称を入力することを促す画面を表示装置８に表示して、パネル７を介して入力された新名称を取得する。命名部２４は、選択部２６により取得されたユーザ名とその取得した新名称との組がその選択された音色に対応するように、表示名称テーブル４１を更新する。
【００４０】
変更部２５は、新名称に対応する音色を変更するための操作がされたときに、表示名称テーブル４１を参照して、表示名称集合４３が示す複数の表示名称から選択部２６により取得されたユーザ名に対応する複数の表示名称を抽出する。変更部２５は、その抽出された複数の表示名称を表示装置８に表示する。変更部２５は、さらに、パネル７を介して入力された情報に基づいて、その表示された複数の表示名称のうちから１つの表示名称を選択する。変更部２５は、次いで、デフォルト名称テーブル３１を参照して、デフォルト名称集合３３が示す複数のデフォルト名称を表示装置８に表示する。変更部２５は、さらに、パネル７を介して入力された情報に基づいて、その複数のデフォルト名称のうちから１つのデフォルト名称を選択し、音色ＩＤ集合３２のうちからその選択されたデフォルト名称に対応する音色を選択する。変更部２５は、選択部２６により取得されたユーザ名とその選択された表示名称との組がその選択された音色に対応するように、表示名称テーブル４１を更新する。
【００４１】
変更部２５は、新名称を消去するための操作がされたときに、表示名称テーブル４１を参照して、表示名称集合４３が示す複数の表示名称から選択部２６により取得されたユーザ名に対応する複数の表示名称を抽出する。変更部２５は、その抽出された複数の表示名称を表示装置８に表示する。変更部２５は、さらに、パネル７を介して入力された情報に基づいて、その表示された複数の表示名称のうちから１つの表示名称を選択する。変更部２５は、選択部２６により取得されたユーザ名とその選択された表示名称との組とが消去され、その組に対応する音色と順位とが消去されるように、表示名称テーブル４１を更新する。
【００４２】
図６は、音色を選択するときに表示装置８に表示されるカテゴリ選択画面を示している。そのカテゴリ選択画面５１は、複数のアイコン５２−１〜５２−１０が記載されている。複数のアイコン５２−１〜５２−１０は、音色を選択するときに表示される複数の音色選択画面を識別する名称が記載される矩形に形成されている。アイコン５２−１〜５２−１０は、互いに異なる複数の順位が割り当てられ、順位が早いアイコンがカテゴリ選択画面５１の上方に配置されるように、カテゴリ選択画面５１に記載されている。
【００４３】
その複数の音色選択画面は、ピアノ音色選択画面とギター音色選択画面とオルガン音色選択画面とバス音色選択画面とドローバー音色選択画面とシンセ音色選択画面とストリングス音色選択画面とドラム音色選択画面とブラス音色選択画面とユーザ音色選択画面とを含んでいる。たとえば、アイコン５２−１は、そのピアノ音色選択画面を示している。アイコン５２−２は、そのギター音色選択画面を示している。アイコン５２−３は、そのオルガン音色選択画面を示している。アイコン５２−４は、そのバス音色選択画面を示している。アイコン５２−５は、そのドローバー音色選択画面を示している。アイコン５２−６は、そのシンセ音色選択画面を示している。アイコン５２−７は、そのストリングス音色選択画面を示している。アイコン５２−８は、そのドラム音色選択画面を示している。アイコン５２−９は、そのブラス音色選択画面を示している。アイコン５２−１０は、そのユーザ音色選択画面を示している。
【００４４】
このとき、表示名称テーブル４１は、その複数の音色選択画面ごとに作成されている。
【００４５】
選択部２６は、音色を選択するための操作がされたときに、カテゴリ選択画面５１を表示装置８に表示する。選択部２６は、パネル７を介して入力された情報に基づいてアイコン５２−１〜５２−１０のうちから１つのアイコン５２−ｉ（ｉ＝１，２，３，…，１０）を選択する。選択部２６は、さらに、パネル７を介して入力された情報に基づいて、その複数の音色選択画面のうちからアイコン５２−ｉが示す音色選択画面を選択する。選択部２６は、さらに、その選択された音色選択画面を表示装置８に表示する。
【００４６】
図７は、その複数の音色選択画面の１つであるピアノ音色選択画面を示している。そのピアノ音色選択画面６１は、複数のアイコン６２−１〜６２−１０が記載されている。複数のアイコン６２−１〜６２−１０は、ピアノ音色を識別する表示名称が記載される矩形に形成されている。その表示名称は、ピアノ音色選択画面６１のために作成された表示名称テーブル４１の表示名称集合４３に示されている。アイコン６２−１〜６２−１０は、互いに異なる複数の順位が割り当てられ、順位が早いアイコンがピアノ音色選択画面６１の上方に配置されるように、ピアノ音色選択画面６１に記載されている。
【００４７】
その表示名称は、その音色に初期的に設定されているデフォルト名称を示し、または、ユーザによりパネル７を介して入力された新名称を示している。そのデフォルト名称は、「クラシックＥピアノ」と「スタジオグランドピアノ」と「モダンＥピアノ」と「モダンＥピアノ２」と「エレクトリックグランドピアノ」と「６０’ｓＥピアノ」と「オクターブピアノ」と「トレモロピアノ」とを含んでいる。その新名称は、「重厚感あるピアノ」と「明るいピアノ」とを含んでいる。アイコン６２−１は、重厚感あるピアノを示している。アイコン６２−２は、クラシックＥピアノを示している。アイコン６２−３は、スタジオグランドピアノを示している。アイコン６２−４は、モダンＥピアノを示している。アイコン６２−５は、明るいピアノを示している。アイコン６２−６は、モダンＥピアノ２を示している。アイコン６２−７は、エレクトリックグランドピアノを示している。アイコン６２−８は、６０’ｓＥピアノを示している。アイコン６２−９は、オクターブピアノを示している。アイコン６２−１０は、トレモロピアノを示している。
【００４８】
アイコン６２−ｉは、新名称を示しているときに、その新名称が下線付きで記載されている。アイコン６２−ｉは、デフォルト名称を示しているときに、そのデフォルト名称が下線なしで記載されている。すなわち、アイコン６２−１には、「重厚感あるピアノ」が下線付きで記載されている。アイコン６２−５には、「明るいピアノ」が下線付きで記載されている。その他のアイコンには、デフォルト名称が下線なしで記載されている。
【００４９】
選択部２６は、その複数の音色選択画面のうちから音色選択画面を選択した後に、その選択された音色選択画面に対応する表示名称テーブル４１を参照して、順番４４に基づいて、表示名称集合４３が示す複数の表示名称の順番がアイコン６２−１〜６２−１０の順番に一致するように、その複数の表示名称を複数のアイコン６２−１〜６２−１０に割り当てる。
【００５０】
選択部２６は、デフォルト名称テーブル３１をさらに参照して、その選択された音色選択画面のアイコンに記載される複数の表示名称がデフォルト名称に一致しているかどうかを判別する。すなわち、選択部２６は、音色ＩＤ集合４５が示す複数の音色ＩＤごとに、表示名称集合４３のうちのその音色ＩＤに対応する表示名称がデフォルト名称集合３３のうちのその音色ＩＤに対応するデフォルト名称に一致しているかどうかを判別する。選択部２６は、さらに、アイコン６２−ｉの表示名称がデフォルト名称に一致しているときに、その表示名称が下線なしで記載されるように、アイコン６２−ｉを形成し、アイコン６２−ｉの表示名称がデフォルト名称に一致していないときに、その表示名称が下線付きで記載されるように、アイコン６２−ｉを形成する。選択部２６は、その形成された複数のアイコン６２−１〜６２−１０に基づいてピアノ音色選択画面６１を作成して表示装置８に表示する。
【００５１】
図８は、その複数の音色選択画面の１つであるユーザ音色選択画面を示している。そのユーザ音色選択画面７１は、複数のアイコン７２−１〜７２−１０が記載されている。複数のアイコン７２−１〜７２−１０は、ユーザ音色を識別する表示名称が記載される矩形に形成されている。その表示名称は、ユーザ音色選択画面７１のために作成された表示名称テーブル４１の表示名称集合４３に示されている。アイコン７２−１〜７２−１０は、互いに異なる複数の順位が割り当てられ、順位が早いアイコンがユーザ音色選択画面７１の上方に配置されるように、ユーザ音色選択画面７１に記載されている。
【００５２】
その表示名称は、その音色に初期的に設定されているデフォルト名称を示し、または、ユーザによりパネル７を介して入力された新名称を示している。その新名称は、「重厚感あるピアノ」と「楽しい曲用のオルガン」と「明るいピアノ」と「クラシカルなオルガン」と「明るいストリングス」と「クリスマス用ベル」とを含んでいる。そのデフォルト名称は、「バイオリン」と「アルトサックス」と「ハープシコード」と「アコーディオン」とを含んでいる。アイコン７２−１は、重厚感あるピアノを示している。アイコン７２−２は、楽しい曲用のオルガンを示している。アイコン７２−３は、明るいピアノを示している。アイコン７２−４は、クラシカルなオルガンを示している。アイコン７２−５は、明るいストリングスを示している。アイコン７２−６は、クリスマス用ベルを示している。アイコン７２−７は、バイオリンを示している。アイコン７２−８は、アルトサックスを示している。アイコン７２−９は、ハープシコードを示している。アイコン７２−１０は、アコーディオンを示している。
【００５３】
アイコン７２−ｉは、新名称を示しているときに、その新名称が下線付きで記載されている。アイコン７２−ｉは、デフォルト名称を示しているときに、そのデフォルト名称が下線なしで記載されている。すなわち、アイコン７２−１〜７２−６には、表示名称が下線付きで記載されている。アイコン７２−７〜７２−１０には、表示名称が下線なしで記載されている。
【００５４】
アイコン７２−１〜７２−１０のうちのパネル７を介して入力された情報に基づいて選択された１つのアイコン７２−１は、網掛けで記載される。ユーザ音色選択画面７１には、さらに、その選択されたアイコン７２−１の近傍にデフォルト名称７３が記載されている。デフォルト名称７３は、アイコン７２−１が示す表示名称がデフォルト名称でないときに、そのデフォルト名称を示している。
【００５５】
命名部２４は、選択部２６により取得されたユーザ名とユーザにより入力された新名称との組がユーザにより選択された音色に対応するように、かつ、その組が最初の順位に対応するように、表示名称テーブル４１を更新する。
【００５６】
選択部２６は、ピアノ音色選択画面６１のときと同様にして、複数の表示名称を複数のアイコン７２−１〜７２−１０に割り当て、そのデフォルト名称が下線なしで記載されるように、そのユーザにより入力された新名称が下線付きで記載されるように、ユーザ音色選択画面７１を作成して表示装置８に表示する。
【００５７】
選択部２６は、ユーザ音色選択画面７１が表示されている場合で、パネル７を介して入力された情報に基づいてアイコン７２−１〜７２−１０のうちの１つのアイコン７２−ｉが選択されたときに、アイコン７２−ｉを網掛けで表示する。選択部２６は、さらに、アイコン７２−ｉに記載される表示名称がデフォルト名称でないときに、そのデフォルト名称をアイコン７２−ｉの近傍に記載し、アイコン７２−１〜７２−１０のうちのアイコン７２−ｉを除くアイコンの近傍に記載されていたデフォルト名称を消去する。選択部２６は、アイコン７２−ｉが網掛けで表示されている場合で、決定するための操作がされたときに、複数の表示名称のうちのアイコン７２−ｉが示す表示名称を選択する。
【００５８】
選択部２６は、ユーザ音色選択画面７１のときと同様にして、ピアノ音色選択画面６１が表示されているときに、パネル７により選択されたアイコン６２−ｉを網掛けで表示し、アイコン６２−ｉに記載される表示名称がデフォルト名称でないときに、そのデフォルト名称をアイコン６２−ｉの近傍に記載する。
【００５９】
本発明による項目選択方法の実施の形態は、電子楽器１により実行され、演奏により出力される楽音の音色を設定する動作と、演奏する動作と、音色に名称を命名する動作と、命名された新名称の音色を変更する動作と、命名された名称を消去する動作とを備えている。
【００６０】
その演奏により出力される楽音の音色を設定する動作は、音色を選択するための操作がされたときに、実行される。電子楽器１は、まず、カテゴリ選択画面５１を表示装置８に表示する。電子楽器１は、パネル７を介して入力された情報に基づいてアイコン５２−１〜５２−１０のうちから１つのアイコン５２−ｉを選択する。電子楽器１は、さらに、パネル７を介して入力された情報に基づいて、その複数の音色選択画面のうちからアイコン５２−ｉが示す音色選択画面を選択する。電子楽器１は、さらに、その選択された音色選択画面を表示装置８に表示する。
【００６１】
電子楽器１は、その選択された音色選択画面に対応する表示名称テーブル４１を参照して、順番４４に基づいて、表示名称集合４３が示す複数の表示名称の順番がアイコン７２−１〜７２−１０の順番に一致するように、その複数の表示名称を複数のアイコン７２−１〜７２−１０に割り当てる。電子楽器１は、デフォルト名称テーブル３１をさらに参照して、その選択された音色選択画面のアイコンに記載される複数の表示名称がデフォルト名称に一致しているかどうかを判別する。電子楽器１は、さらに、アイコン７２−ｉの表示名称がデフォルト名称に一致しているときに、その表示名称が下線なしで記載されるように、アイコン７２−ｉを形成し、アイコン７２−ｉの表示名称がデフォルト名称に一致していないときに、その表示名称が下線付きで記載されるように、アイコン７２−ｉを形成する。電子楽器１は、その形成された複数のアイコン７２−１〜７２−１０が記載された音色選択画面を作成して表示装置８に表示する。
【００６２】
このような表示によれば、ユーザは、複数の表示名称の各々がユーザにより命名された名称であるか初期的に設定された名称であるかを判別しやすく、所望の選択肢をより容易に選択することができる。
【００６３】
電子楽器１は、パネル７を介して入力された情報に基づいてアイコン７２−１〜７２−１０のうちの１つのアイコン７２−ｉが選択されたときに、アイコン７２−ｉを網掛けで表示する。電子楽器１は、さらに、アイコン７２−ｉに記載される表示名称がデフォルト名称でないときに、そのデフォルト名称をアイコン７２−ｉの近傍に記載し、アイコン７２−１〜７２−１０のうちのアイコン７２−ｉを除くアイコンの近傍に記載されていたデフォルト名称を消去する。
【００６４】
このような表示によれば、ユーザは、新規に命名された新名称に対応する選択肢のデフォルト名称を確認することができ、所望の選択肢をより容易に選択することができる。このような表示を消去する動作によれば、電子楽器１は、表示装置８に表示される情報量を低減することができ、その分画面を見やすくすることができる。
【００６５】
電子楽器１は、アイコン７２−ｉが網掛けで表示されている場合で、決定するための操作がされたときに、複数の表示名称のうちのアイコン７２−ｉが示す表示名称を選択し、音色ＩＤ集合４５のうちのその選択された表示名称に対応する音色を選択する。
【００６６】
電子楽器１は、次いで、所定の期間でその選択された音色が設定された頻度を算出し、その選択された音色がその算出された頻度に対応するように、頻度テーブル３５を更新する。電子楽器１は、さらに、その頻度が高い音色の順位が早くなるように、表示名称テーブル４１を更新する。
【００６７】
その演奏する動作は、鍵盤１０のうちのいずれかの鍵が打鍵されることに応答して実行される。電子楽器１は、その演奏により出力される楽音の音色を設定する動作により選択された音色の楽音であり、かつ、その打鍵された鍵に対応する音高の楽音をスピーカ１６から出力する。
【００６８】
その音色に名称を命名する動作は、音色に新名称を命名するための操作がされたときに実行される。電子楽器１は、まず、デフォルト名称テーブル３１を参照して、デフォルト名称集合３３が示す複数のデフォルト名称を表示装置８に表示する。電子楽器１は、さらに、パネル７を介して入力された情報に基づいて、その複数のデフォルト名称のうちから１つのデフォルト名称を選択し、音色ＩＤ集合３２のうちからその選択されたデフォルト名称に対応する音色を選択する。なお、このとき、電子楽器１は、複数のデフォルト名称を表示しないで、現在設定されている音色を選択することもできる。
【００６９】
電子楽器１は、次いで、ユーザに新名称を入力することを促す画面を表示装置８に表示して、パネル７を介して入力された新名称を取得する。電子楽器１は、その選択された音色を示すデフォルト名称テーブル３１に関して、電子楽器１は、起動時に取得されたユーザ名とその取得された新名称との組がその選択された音色に対応するように、表示名称テーブル４１を更新する。電子楽器１は、さらに、ユーザ音色選択画面７１に対応するデフォルト名称テーブル３１に関して、起動時に取得されたユーザ名とその取得された新名称との組がユーザにより選択された音色に対応するように、かつ、その組が最初の順位に対応するように、表示名称テーブル４１を更新する。
【００７０】
このような動作によれば、ユーザは、所望の音色に所望の名称を対応付けることができ、初期的に設定されたデフォルトの名称がわかりにくい場合であっても、その複数の音色のうちから所望の音色をより容易に選択することができる。さらに、命名された新名称の表示順を早くすることによれば、ユーザは、その命名した名称に対応する音色をより容易に選択することができる。さらに、このような動作によれば、複数のユーザが独立に新名称を命名することができ、たとえば、複数のユーザが互いに異なる複数の音色に同一の新名称を命名することができ、複数のユーザが所望の音色をより容易に選択することができる。さらに、このような動作によれば、ユーザは、１つの音色に互いに異なる複数の新名称を命名することができ、所望の音色をより容易に選択することができる。
【００７１】
その命名された新名称の音色を変更する動作は、新名称に対応する音色を変更するための操作がされたときに実行される。電子楽器１は、まず、その演奏により出力される楽音の音色を設定する動作と同様にして、パネル７を介して入力された情報に基づいて、複数の表示名称のうちのアイコンが示す表示名称を選択する。電子楽器１は、次いで、デフォルト名称テーブル３１を参照して、デフォルト名称集合３３が示す複数のデフォルト名称を表示装置８に表示する。電子楽器１は、さらに、パネル７を介して入力された情報に基づいて、その複数のデフォルト名称のうちから１つのデフォルト名称を選択し、音色ＩＤ集合３２のうちからその選択されたデフォルト名称に対応する音色を選択する。電子楽器１は、起動時に取得されたユーザ名とその選択された表示名称との組がその選択された音色に対応するように、表示名称テーブル４１を更新する。
【００７２】
このような動作によれば、ユーザは、複数の音色のうちからその新名称により相応しい音色を発見したときに、その発見された選択肢にその新名称をより容易に命名し直すことができる。
【００７３】
その命名された名称を消去する動作は、新名称を消去するための操作がされたときに実行される。電子楽器１は、まず、表示名称テーブル４１を参照して、表示名称集合４３が示す複数の表示名称から起動時に取得されたユーザ名に対応する複数の表示名称を抽出し、その抽出された複数の表示名称を表示装置８に表示する。電子楽器１は、さらに、パネル７を介して入力された情報に基づいて、その表示された複数の表示名称のうちから１つの表示名称を選択する。電子楽器１は、そのユーザ名とその選択された表示名称との組とが消去され、その組に対応する音色と順位とが消去されるように、表示名称テーブル４１を更新する。
【００７４】
このような動作によれば、電子楽器１は、表示装置８に表示される情報量を低減することができ、その分画面を見やすくすることができる。
【００７５】
なお、電子楽器１は、複数の音色から１つの音色を選択することと同様にして、複数の音色と異なる他の複数の選択肢を選択することもできる。このような選択肢としては、リズム、エフェクトが例示される。このような電子楽器は、複数の音色から１つの音色を選択することと同様にして、複数の選択肢から１つの選択肢を選択する操作をより容易にすることができる。
【図面の簡単な説明】
【００７６】
【図１】図１は、本発明による電子楽器の実施の形態を示すブロック図である。
【図２】図２は、電子楽器にインストールされるコンピュータプログラムを示すブロック図である。
【図３】図３は、デフォルト名称テーブルを示す図である。
【図４】図４は、使用頻度テーブルを示す図である。
【図５】図５は、表示名称テーブルを示す図である。
【図６】図６は、カテゴリ選択画面を示す図である。
【図７】図７は、ピアノ音色選択画面を示す図である。
【図８】図８は、ユーザ音色選択画面を示す図である。
【図９】図９は、公知のピアノ音色選択画面を示す図である。
【符号の説明】
【００７７】
１  ：電子楽器
２  ：バス
７  ：パネル
８  ：表示装置
１０：鍵盤
１１：楽音発生部
１２：波形メモリ
１４：変換器
１５：アンプ
１６：スピーカ
２１：デフォルト名称データベース
２２：表示名称データベース
２３：頻度データベース
２４：命名部
２５：変更部
２６：選択部
２７：演奏部
３１：デフォルト名称テーブル
３２：音色ＩＤ集合
３３：デフォルト名称集合
３５：頻度テーブル
３６：音色ＩＤ集合
３７：使用頻度集合
４１：表示名称テーブル
４２：ユーザ名集合
４３：表示名称集合
４４：順番
４５：音色ＩＤ集合
５１：カテゴリ選択画面
５２−１〜５２−１０：アイコン
６１：ピアノ音色選択画面
６２−１〜６２−１０：アイコン
７１：ユーザ音色選択画面
７２−１〜７２−１０：アイコン
７３：デフォルト名称
【図１】
2009251148.tif 000003
【図２】
2009251148.tif 000004
【図３】
2009251148.tif 000005
【図４】
2009251148.tif 000006
【図５】
2009251148.tif 000007
【図６】
2009251148.tif 000008
【図７】
2009251148.tif 000009
【図８】
2009251148.tif 000010
【図９】
2009251148.tif 000011